(57)【特許請求の範囲】
【請求項１】
一又は複数台の空調機側室内ユニットおよびオープンショーケースを含む一又は複数台の冷凍機側室内ユニットを冷媒配管を介して同一の室外ユニットに接続することにより同一の冷媒回路で運転可能とし、オープンショーケースと同一の部屋に設定された空調機側室内ユニットに運転優先度を設定し、冷房時に前記各室内ユニットから前記室外ユニットに当該室外ユニットの能力を超える能力要求があった場合、運転優先度を設定した空調機側室内ユニットを要求能力で運転し、前記オープンショーケースを要求能力以下の低能力で運転することを特徴とする複合型空気調和システム。
【発明の詳細な説明】
【０００１】
【発明の属する技術分野】
本発明は、スーパマーケットやコンビニエンスストア等の店舗に設備されるショーケースや自販機等の冷凍機と空気調和機とを同一の冷媒回路で運転可能とした複合空気調和システムに関する。
【０００２】
【従来の技術】
スーパマーケットやコンビニエンスストア等の店内には食料品等を冷蔵あるいは冷凍状態で陳列するためのショーケース等が設置されており、さらに、店内の空気を冷房あるいは暖房するための空気調和機が設置されている。
【０００３】
従来では、図４に示すように、ショーケース等の冷凍機２００と空気調和機３００はそれぞれ単独の冷媒回路で運転制御されていた。すなわち、ショーケース２００の室外ユニット２０１と室内ユニット２０２は冷媒配管２０３を介して接続されており、これとは別に空気調和機３００の室外ユニット３０１と室内ユニット３０２は冷媒配管３０３を介して接続されていた。
【０００４】
【発明が解決しようとする課題】
しかしながら、本来冷凍サイクルとして互いに共通性があるシステムを別体に構成するよりも、共用可能な部分を共用することにより装置構成の小型化を図ることができまた、コストの低減化が可能となる。
【０００５】
本発明の目的は、冷凍機と空気調和機を複合一体化することにより装置構成の小型化しうる複合空気調和システムを提供することにある。
【０００６】
【課題を解決するための手段】
請求項１に記載の発明は、一又は複数台の空調機側室内ユニットおよびオープンショーケースを含む一又は複数台の冷凍機側室内ユニットを冷媒配管を介して同一の室外ユニットに接続することにより同一の冷媒回路で運転可能とし、オープンショーケースと同一の部屋に設定された空調機側室内ユニットに運転優先度を設定し、冷房時に前記各室内ユニットから前記室外ユニットに当該室外ユニットの能力を超える能力要求があった場合、運転優先度を設定した空調機側室内ユニットを要求能力で運転し、前記オープンショーケースを要求能力以下の低能力で運転することを特徴とする。この発明によれば、室外ユニットの冷媒供給能力以上の数の室内ユニットが接続された場合でも、各室内ユニットには運転優先度が設定されているため、システム全体としての能力が不足する場合であっても、必要とされる室内ユニットは１００％の運転が可能となる。
【０００９】
【発明の実施の形態】
次に、本発明の好適な実施の形態を図面に基づいて説明する。
【００１０】
図１に、本発明に係る複合型空気調和システムの冷媒回路の例を示す。図１に示すように、一台の室外ユニット１００に冷媒配管１０４および１０５を介して複数台の異なる室内ユニット１１０ａ〜１１０ｃ、すなわち空調機側室内ユニット１１０ａの熱交換器１０１、冷凍機側室内ユニット１１０ｂ，１１０ｃの熱交換器１０２、１０３…が接続されており、複数の室内ユニット１１０によって、同一の室外ユニット１００を共用するシステムが構築されている。
【００１１】
室外ユニット１００において、コンプレッサ１から出た冷媒は四方弁２を介して室外側熱交換器３において熱交換された後、電子膨張弁５を経て冷媒配管１０５を介して空調機側室内ユニットの熱交換器１０１、冷凍機側室内ユニットの熱交換器１０２、１０３に分配される。各熱交換器１０１、１０２、１０３の分岐管にはそれぞれ電子膨張弁６、７、８が設けられている。
【００１２】
各室内ユニットの熱交換器１０１、１０２、１０３を出た冷媒は冷媒配管１０４を介して室外ユニット１００側に戻され、四方弁２を介してコンプレッサ１に戻る。なお、符号４は室内ユニット側の送風ファン、９、１０、１１は室内ユニット側の送風ファンを示している。
【００１３】
電子膨張弁５、６、７、８はコントローラ１２からの制御信号により弁開度が全閉状態から全開状態まで制御され、冷媒流量が調整される。コントローラ１２は、ＣＰＵ、ＲＯＭおよびＲＡＭ等を含むマイクロコンピュータにより構成され（図示せず。）、ＲＯＭ内に格納された制御プログラムに従って、弁開度制御が行なわれ、図示しない温度センサからの温度検出信号に基づく空調制御およびショーケースの庫内温度制御が行われる。
【００１４】
コントローラ１２の弁開度制御プログラムには、室内ユニットに要求される能力を全て発揮して、運転させるか否かを定めるために、室内ユニット毎に運転優先度が設定される。図２に示す例では、空調機側室内ユニット１１０ａ、および冷凍機側室内ユニット１１０ｃを優先して運転するように設定されている。
【００１５】
すなわち、この実施の形態では一台の室外ユニット１００にその冷媒供給能力以上の合計容量に対応する数の室内ユニットを接続することができるが、この場合に、全室内ユニットを同時に運転した場合には、全ての室内ユニット側で要求される能力を発揮できない場合が生じうる。
【００１６】
そこで、図２に示すように運転優先度を設定し、優先運転が設定された室内ユニット１１０ａ、１１０ｃの電子膨張弁６，８は冷凍負荷に応じてその開度が制御され、優先運転が設定されていない室内ユニット１１０ｂの電子膨張弁７の開度制御は制限される。すなわち、優先運転が設定された室内ユニット１１０ａ，１１０ｃを、要求される能力を全て発揮して運転させ、優先運転が設定されていない他の室内ユニット１１０ｂについては要求される能力が室外ユニット１００の能力を越える場合、要求される能力以下の低能力運転を行うようにする。
【００１７】
上記優先運転の設定は、例えば空調機側室内ユニットとオープンショーケースとを同一の部屋に設定した場合に、空調機側室内ユニットを優先運転するように設定しておけば、冷房時にその室内の温度を下げるように優先して運転することになり、結果としてオープンショーケースの冷凍負荷がそれだけ小さくなるので、当該システム全体の運転効率を上げることができる。
【００１８】
ところで、このように室内ユニットに対して運転優先度を設定したとしても、低能力運転を余儀なくされる室内ユニットが発生する場合がある。しかし、多数の室内ユニットを運転する場合には、必ずしも全数の室内ユニットに１００％運転が要求されることは希であり、実用上何ら問題はない。
【００１９】
なお、この実施の形態では冷凍機の例としてショーケース２を示したが、本発明の適用はこの例に限定されるものではなく、例えば冷凍機としての自動販売機と空気調和機との組み合わせシステムに対しても適用が可能である。
【００２０】
【発明の効果】
以上の通り、請求項１に記載の発明によれば、従来別々であった空調機側室内ユニットと冷凍機側室内ユニットとを同一の室外ユニットを共用して同一の冷媒回路で運転することができるので、システム構成の簡素化、部品点数の削減、製造コストの低減化、設置スペースの縮小等が可能となる。
【００２１】
また、この発明によれば、室外ユニットの冷媒供給能力以上の数の室内ユニットが接続された場合でも、各室内ユニットには優先運転順位が設定されているため、システム全体としての能力が不足する場合であっても、必要とされる室内ユニットには１００％の運転が可能となる。
【図面の簡単な説明】
【図１】本発明に係る空気調和システムの冷媒回路の例を示すブロック図である。
【図２】室内ユニットの優先運転の設定状態を示す説明図である。
【図３】室内ユニットの優先運転時の能力配分例を示す説明図である。
【図４】従来の空気調和機および冷凍機の運転状態を示す説明図である。
【符号の説明】
１  コンプレッサ
２  四方弁
３  室外ユニットの熱交換器
４  送風ファン
５  電子膨張弁
６  電子膨張弁
７  電子膨張弁
８  電子膨張弁
９  送風ファン
１０  送風ファン
１１  送風ファン
１００  室外ユニット
１０１  空調機側室内ユニットの熱交換器
１０２  冷凍機側室内ユニットの熱交換器
１０３  冷凍機側室内ユニットの熱交換器
１０４  冷媒配管
１０５  冷媒配管
１１０ａ〜１１０ｃ  室内ユニット
【図１】
0003653344.tif 000002
【図２】
0003653344.tif 000003
【図３】
0003653344.tif 000004
【図４】
0003653344.tif 000005